(57)【要約】【課題】操作性がよく、設置スペースの小さい複層カーテンを提供すること。【解決手段】複層カーテンは、４枚のスライドスクリーン１ａ〜１ｄ及びカーテン２を備えている。スライドスクリーン１ａ〜１ｄは薄手の生地にて平板状に形成されている。第一のレール３ａ内の複数のランナー４はカーテン２を吊下支持している。第二のレール３ｂ内のランナー５ａ〜５ｄはスライドスクリーン１ａ，１ｂを吊下支持し、第三のレール３ｃ内のランナー５ｅ〜５ｈはスライドスクリーン１ｃ，１ｄを吊下支持している。第一のレール３ａと第二のレール３ｂとは、開閉操作時にカーテン２と、スライドスクリーン１ａとが互いに干渉しない間隔だけ離間するように位置決めされている。【選択図】        図２
2005021271.tif 000002
【特許請求の範囲】
【請求項１】
並列状態に配列された複数のハンガーレールと、
後列の前記ハンガーレールに吊下支持され、前記ハンガーレールに沿って順次引き出し、あるいは前記ハンガーレールの一側に収納可能とした平板状のスライドスクリーンと、
前列の前記ハンガーレールに吊下支持され、前記ハンガーレールに沿ってたたみ込む或いは引き出すことにより、開閉操作可能とした生地よりなるカーテンとを備えたことを特徴とする複層カーテン。
【請求項２】
前記複数のハンガーレールは一体に形成されていることを特徴とする請求項１に記載の複層カーテン。
【請求項３】
前記ハンガーレールは３本のレールにて構成されており、後列の２本のレールにスライドスクリーンが吊下支持されており、前列のレールにカーテンが吊下支持されていることを特徴とする請求項１又は２に記載の複層カーテン。
【請求項４】
前記カーテンは、前記ハンガーレールと前記スライドスクリーンとの間から室内側に向かう光を遮断する遮光部を備えていることを特徴とする請求項１〜３の何れか一項に記載の複層カーテン。
【発明の詳細な説明】
【０００１】
【発明の属する技術分野】
この発明は、複層カーテンに関するものである。
【０００２】
【従来の技術】
従来、複層カーテンにおいては、生地を吊下支持するためのカーテンレールが並列状態に複数配設されていた。通常、これらカーテンレールは、２本の並列するカーテンレールにて構成されており、それぞれに例えば薄手のカーテンと厚手のカーテンとが吊下支持されている（例えば、特許文献１参照）。
【０００３】
【特許文献１】
登録実用新案第３０７９３６９号公報
【０００４】
【発明が解決しようとする課題】
ところで、特許文献１に記載の複層カーテンにおいては、吊下支持された両カーテンは、たたみ込み或いは引き出しにより開閉操作を行うカーテンであった。そのため、両カーテンはたたみ込まれた際にドレープが形成され、両カーテンの間隔が狭い場合には生地が互いに干渉し易く、その開閉操作を妨げる虞があった。そのため、カーテンを複層カーテンに用いる際には両カーテンを吊下支持するカーテンレールの間隔を十分に離間する必要があり、カーテンレールの取付スペースが大きくなるという問題点があった。
【０００５】
本発明は、上記問題点を解決するためになされたものであって、その目的は、操作性がよく、設置スペースの小さい複層カーテンを提供することにある。
【０００６】
【課題を解決するための手段】
請求項１に記載の発明は、並列状態に配列された複数のハンガーレールと、後列の前記ハンガーレールに吊下支持され、前記ハンガーレールに沿って順次引き出し、あるいは前記ハンガーレールの一側に収納可能とした平板状のスライドスクリーンと、前列の前記ハンガーレールに吊下支持され、前記ハンガーレールに沿ってたたみ込む或いは引き出すことにより、開閉操作可能とした生地よりなるカーテンとを備えた。
【０００７】
請求項２に記載の発明は、請求項１に記載の発明において、前記複数のハンガーレールは一体に形成されている。
請求項３に記載の発明は、請求項１又は２に記載の発明において、前記ハンガーレールは３本のレールにて構成されており、後列の２本のレールにスライドスクリーンが吊下支持されており、前列のレールにカーテンが吊下支持されている。
【０００８】
請求項４に記載の発明は、請求項１〜３の何れか一項に記載の発明において、前記カーテンは、前記ハンガーレールと前記スライドスクリーンとの間から室内側に向かう光を遮断する遮光部を備えている。
【０００９】
【発明の実施の形態】
以下、この発明を具体化した一実施形態を図面に従って説明する。図１に示す複層カーテンは、４枚のスライドスクリーン１ａ〜１ｄ及びカーテン２がハンガーレール３に沿って移動可能に吊下支持されている。スライドスクリーン１ａ〜１ｄは薄手の生地にて平板状に形成されている。カーテン２はやや厚手の生地にて形成されている。
【００１０】
図２及び図３に示すように、前記ハンガーレール３は前列のレールとしての第一のレール３ａ、後列のレールとしての第二のレール３ｂ及び第三のレール３ｃが一体に構成されている。
【００１１】
第一のレール３ａ内にはカーテン２を吊下支持するための複数のランナー４が配設されている。第二のレール３ｂ内にはスライドスクリーン１ａを吊下支持するための２個のランナー５ａ，５ｂと、スライドスクリーン１ｂを吊下支持するための２個のランナー５ｃ，５ｄとが配設されている。第三のレール３ｃ内には、スライドスクリーン１ｃを吊下支持するための２個のランナー５ｅ，５ｆと、スライドスクリーン１ｄを吊下支持するための２個のランナー５ｇ，５ｈとが配設されている。
【００１２】
第一のレール３ａと第二のレール３ｂとは、開閉操作時に第一のレール３ａに吊下支持されるカーテン２と、第二のレール３ｂに吊下支持されるスライドスクリーン１ａとが互いに干渉しない間隔だけ離間するように位置決めされている。
【００１３】
前記ランナー４，５ａ〜５ｈは、本体６，７の両側に車輪８を備えた両持型ランナーである。
前記ランナー４の本体６及びランナー５ａ〜５ｈの本体７は、ハンガーレール３の下方に露出されている。前記本体６の下方には略リング状に形成された吊下部６ａが取着されている。カーテン２にはその上端部近傍位置にかぎ爪状に湾曲するフック２ａが取着されている。カーテン２はフック２ａを吊下部６ａに掛止することでランナー４に吊下支持されている。カーテン２の上端には、ハンガーレール３とスライドスクリーン１ａ〜１ｄとの間に形成される隙間よりも上方に突出する遮光部２ｂが形成されている。遮光部２ｂは、室内側（図２において左側）に向かって延出されており、ハンガーレール３とスライドスクリーン１ａ〜１ｄとの間から室内に向かう光を遮り、光が室内に差し込まないようにしている。
【００１４】
カーテン２は、複数のランナー４にて吊下支持されている。各ランナー４は各々第一のレール３ａ内で該第一のレール３ａの長手方向に移動可能である。ハンガーレール３が取着される窓枠には、該ハンガーレール３の長手方向一端（本実施形態において右端）にタッセル紐２ｃが吊下されている。図１に示すように、カーテン２は、生地をたたみ込んでから周囲にタッセル紐２ｃを周回させることで、窓枠の一側に保持可能となる。
【００１５】
ランナー５ａ〜５ｈの本体７の下方にはキャリア９ａ〜９ｄが一体に取着されている。具体的には、ランナー５ａ，５ｂの本体７にはキャリア９ａが取着され、ランナー５ｃ，５ｄの本体７にはキャリア９ｂが取着されている。また、ランナー５ｅ，５ｆの本体７にはキャリア９ｃが取着され、ランナー５ｇ，５ｈの本体７にはキャリア９ｄが取着されている。前記キャリア９ａ〜９ｄは、略同一幅で形成されている。
【００１６】
各キャリア９ａ〜９ｄの前面には前記スライドスクリーン１ａ〜１ｄの上端部が面ファスナー１０で貼着されている。
図３に示すように、前記ランナー５ｂは、キャリア９ａに対しランナー１個分内側に取着され、前記ランナー５ｃはキャリア９ｂに対しランナー１個分内側に取着される。また、前記ランナー５ｆはキャリア９ｃに対しランナー１個分内側に取着され、前記ランナー５ｇはキャリア９ｄに対しランナー１個分内側に取着される。
【００１７】
前記第二のレール３ｂ内において、ランナー５ｃはランナー５ａ，５ｂ間に配設される。また、前記第三のレール３ｃ内において、ランナー５ｇはランナー５ｅ，５ｆ間に配設される。
【００１８】
前記キャリア９ｂの後端（図３において左端）には、前記キャリア９ｃに向かって突出するストッパ１１ａがほぼランナーと同じ幅で設けられる。前記ストッパ１１ａは、キャリア９ｂに対しランナー１個分内側に形成されている。
【００１９】
前記キャリア９ｃの先端部及び後端には、前記キャリア９ｂに向かって突出して、前記ストッパ１１ａに係合するストッパ１１ｂ，１１ｃがほぼランナーと同じ幅で設けられる。このストッパ１１ｂ，１１ｃ間に、前記ストッパ１１ａが突出されている。従って、ストッパ１１ａは、ストッパ１１ｂ，１１ｃ間でのみ同ストッパ１１ｂ，１１ｃに対し相対移動する。
【００２０】
次に、上記のように構成された複層カーテンの動作を説明する。図１は、カーテン２を全開状態で保持するとともに、各スライドスクリーン１ａ〜１ｄをハンガーレール３に沿って全閉状態まで引き出した状態を示す。
【００２１】
この状態において、カーテン２は窓枠に吊下されたタッセル紐２ｃにて保持されており、意図せずカーテン２が閉状態となることが防止されている。カーテン２を閉状態とするには、先ず、タッセル紐２ｃによる生地の保持を解除する。そして、第一のレール３ａ内で隣り合うランナー４の間隔を互いに離間させることで、生地が第一のレール３ａの長手方向に沿って引き出され閉操作が行われる。
【００２２】
一方、カーテン２を閉状態から開状態とする際には、第一のレール３ａ内で隣り合うランナー４の間隔を互いに狭めてやり、生地を第一のレール３ａの長手方向に沿ってたたみ込んでやればよい。そして、カーテン２をたたみ込んだ後は、その周囲にタッセル紐２ｃを周回して該カーテン２を保持することで再び開状態となり、意図しないカーテン２の閉動作が防止される。
【００２３】
次にスライドスクリーン１ａ〜１ｄの開閉動作について説明する。
図１に示すスライドスクリーン１ａ〜１ｄの全閉状態においては、図３に示すように、ランナー５ｂ，５ｃが当接し、ストッパ１１ａ，１１ｂが当接し、ランナー５ｆ，５ｇが当接している。
【００２４】
この状態から、スライドスクリーン１ａを収納方向、すなわち図１左方に移動させると、キャリア９ａが同方向へ移動して、やがてハンガーレール３内においてランナー５ａがランナー５ｃに当接する。
【００２５】
この状態から、スライドスクリーン１ａをさらに同方向に移動させると、キャリア９ａ，９ｂが一体に移動し、スライドスクリーン１ａとともにスライドスクリーン１ｂが同方向に移動する。
【００２６】
スライドスクリーン１ａをさらに同方向へ移動させると、やがてストッパ１１ａがストッパ１１ｃに当接する。
この状態から、スライドスクリーン１ｂをさらに同方向へ移動させると、キャリア９ａ〜９ｃが一体に移動し、スライドスクリーン１ａとともにスライドスクリーン１ｂ，１ｃが同方向に移動する。そして、キャリア９ａ〜９ｄがハンガーレール３の一端部（本実施形態において左端部）において重なり合う状態となり、スライドスクリーン１ａ〜１ｄがハンガーレール３の一端部に収納され、全開状態となる。
【００２７】
また、スライドスクリーン１ａ〜１ｄを引き出す場合には、スライドスクリーン１ａを右方へ引き出すと、キャリア９ａが移動して、まずランナー５ｂがランナー５ｃに当接して同ランナー５ｂ，５ｃが一体に移動し、キャリア９ｂが同方向へ移動する。
【００２８】
スライドスクリーン１ａをさらに同方向へ移動させると、ストッパ１１ａがストッパ１１ｂに当接して、キャリア９ｂとともにキャリア９ｃが移動する。
スライドスクリーン１ａをさらに同方向へ移動させると、図３に示すように、ランナー５ｆがランナー５ｇに当接する状態となり、この状態で全閉状態となる。
【００２９】
上記のように構成されたスライドスクリーンでは、次に示す作用効果を得ることができる。
（１）複層カーテンは、後列に配設された第二のレール３ｂ及び第三のレール３ｃに平板状のスライドスクリーン１ａ〜１ｄを吊下支持し、最前列に配設された第一のレール３ａにカーテン２を吊下支持して構成されている。従って、後列に吊下支持されたスライドスクリーン１ａ〜１ｄは図２における左右方向への広がりが少なく、たたみ込み或いは引き出しにより開閉操作を行うカーテン同士で構成された複層カーテンに比べて、生地の干渉が発生しにくい。そのため複層カーテンの操作性を向上することができる。
【００３０】
（２）第一のレール３ａと、第二及び第三のレール３ｂ，３ｃとの間隔を小さく設定することにより、カーテン２及びスライドスクリーン１ａ〜１ｄを図２における左右方向にコンパクトに配設することができ、設置スペースの小さい複層カーテンを提供することができる。
【００３１】
（３）スライドスクリーン１ａ〜１ｄとカーテン２とを複層することにより新たな意匠性をもつ複層カーテンを提供することができる。
（４）第一のレール３ａ、第二のレール３ｂ及び第三のレール３ｃを図２における左右方向にコンパクトに配設することができるため、全てのレール３ａ〜３ｃを容易に一体成型することができる。従って、部品点数が減少される。また、全てのレール３ａ〜３ｃを一体成型することによりハンガーレール３の剛性を高めることができる。
【００３２】
（５）スライドスクリーン１ａ〜１ｄは面ファスナー１０にて各キャリア９ａ〜９ｄに貼着されている。従って、スライドスクリーン１ａ〜１ｄを容易にキャリア９ａ〜９ｄに着脱することができる。
【００３３】
（６）カーテン２はフック２ａを吊下部６ａに引っ掛けることで吊下支持されている。従って、カーテン２を容易にランナー４に着脱することができる。
（７）複層カーテンは、カーテン２の上端にハンガーレール３とスライドスクリーン１ａ〜１ｄとの間から室内に差し込む光を遮断する遮光部２ｂを備えている。従って、複層カーテンは、ハンガーレール３とスライドスクリーン１ａ〜１ｄとの間から室内に差し込む光を遮断することができる。
【００３４】
上記実施の形態は、次に示すように変更することもできる。
・上記実施の形態において、ハンガーレール３は第一〜第三のレール３ａ〜３ｃにて構成されていたが、ハンガーレール３を構成するレールの数は任意の本数でもよい。
・上記実施の形態において、開操作時には、スライドスクリーン１ａ〜１ｄは図１において左端に収容され、カーテン２は右端にたたみ込まれていた。しかし、スライドスクリーン１ａ〜１ｄの収容位置及びカーテン２をたたみ込む位置は適宜変更してもよい。また、スライドスクリーン１ａ〜１ｄ及びカーテン２を同方向に収容或いはたたみ込んでもよい。
【００３５】
次に、以上の実施形態から把握することができる技術的思想をその効果と共に以下に記載する。
（イ）前記複数のスライドスクリーンは、前記ハンガーレールに沿って連動することを特徴とする請求項１〜３の何れか一項に記載の複層カーテン。このように複層カーテンを構成すると、スライドスクリーンが容易に開閉操作される。
【００３６】
（ロ）前記スライドスクリーンは後列の前記ハンガーレールに収容されたキャリアに面ファスナーにて取着され、前記カーテンは前列の前記ハンガーレールに収容されたランナーにフックにて取着されていることを特徴とする請求項１〜３の何れか一項に記載の複層カーテン。このように複層カーテンを構成すると、スライドスクリーンが容易にキャリアに取着されるとともに、カーテンが容易にランナーに取着される。
【００３７】
【発明の効果】
以上詳述したように、本発明によれば操作性がよく、設置スペースの小さい複層カーテンを提供することができる。
【図面の簡単な説明】
【図１】複層カーテンを示す正面図である。
【図２】複層カーテンを示す側面図である。
【図３】ランナーとキャリアとの取付位置を示す説明図である。
【符号の説明】
１ａ〜１ｄ…スライドスクリーン
２…カーテン
２ａ…フック
２ｂ…遮光部
３ａ…前列のレールとしての第一のレール
３ｂ…後列のレールとしての第二のレール
３ｃ…後列のレールとしての第三のレール
３…ハンガーレール
９ａ〜９ｄ…キャリア
１０…面ファスナー
【図１】
2005021271.tif 000003
【図２】
2005021271.tif 000004
【図３】
2005021271.tif 000005